(57)【要約】【課題】  害虫捕獲装置において、粘着シートの全面で蛾などの害虫を捕獲することを解決しようとする課題とする。【解決手段】紫外線励起によって紫外線又は蛍光を発する物質を内部に含んだ蛍光板２と、蛍光板２の一方の面に配置された粘着シート３と、紫外線ＬＥＤ５が設けられた連結部材４を備えている。蛍光板２には粘着シート３が取り付けられ、この蛍光板２と粘着シート３は連結部材４の両側に各々結合されている。そして、連結部材４、蛍光板２の裏面同士を取り付けて害虫捕獲装置１を構成する。【選択図】図１
2012019759.tif 000002
【特許請求の範囲】
【請求項１】
紫外線励起によって紫外線又は蛍光を発する物質を内部に含んだ蛍光板と、蛍光板の一方の面上に配置され、基材の面に粘着層を設けて構成された粘着シートと、紫外線光源が設けられた連結部材を備え、蛍光板には粘着シートが取り付けられ、この蛍光板と粘着シートは連結部材の両側に各々結合され、この結合された連結部材、蛍光板の裏面同士を取り付けて構成されたことを特徴とする害虫捕獲装置。
【請求項２】
紫外線励起によって紫外線又は蛍光を発する物質を内部に含んだ蛍光板と、蛍光板の一方の面に配置され、基材の面に粘着層を設けて構成された粘着シートと、紫外線光源が設けられた連結部材を備え、蛍光板には粘着シートが取り付けられ、この蛍光板と粘着シートを連結部材の両側に各々結合して構成されたことを特徴とする害虫捕獲装置。
【請求項３】
前記粘着シートは、磁石、又は接着剤、又は穴と突起、又はその他機械的係止手段により前記蛍光板に取り付けられていることを特徴とする請求項１又は２に記載の害虫捕獲装置。
【請求項４】
前記粘着シートは帯状であって、前記蛍光板の面上に繰り出し可能にロールホルダーにロール状に収納されていることを特徴とする請求項１又は２に記載の害虫捕獲装置。
【請求項５】
前記粘着シートは前記蛍光板に対して、隙間を設けて配置されていることを特徴とする請求項１ないし４のいずれか１項に記載の害虫捕獲装置。
【請求項６】
請求項１又は２記載の前記害虫捕獲装置の周囲に、紫外線励起によって紫外線又は蛍光を発する物質を内部に含んだ蛍光板と、基材の面に粘着層を設けて構成された粘着シートを備えた害虫捕獲シートを設置し、前記害虫捕獲装置の前記紫外線光源から紫外線を放射することにより前記害虫捕獲装置と前記害虫捕獲シートの前記蛍光板の内部に含まれる紫外線励起によって紫外線又は蛍光を発する前記物質を紫外線励起して紫外線又は蛍光を発し、この発せられた紫外線又は蛍光により害虫を誘引して害虫を害虫捕獲装置、害虫捕獲シートで捕獲することを特徴とする前記害虫捕獲装置を用いた害虫捕獲方法。
【請求項７】
請求項６記載の害虫を捕獲する方法であって、前記害虫捕獲装置と前記害虫捕獲シートを交互に設置したことを特徴とする請求項６記載の前記害虫捕獲装置を用いた害虫捕獲方法。
【請求項８】
紫外線光源の周囲に、請求項１又は２記載の前記害虫捕獲装置と、紫外線励起によって紫外線又は蛍光を発する物質を内部に含んだ蛍光板と、基材の面に粘着層を設けて構成された粘着シートを備えた害虫捕獲シートを設置し、前記紫外線光源及び前記害虫捕獲装置の前記紫外線光源から紫外線を放射することにより前記害虫捕獲装置と前記害虫捕獲シートの前記蛍光板の内部に含まれる紫外線励起によって紫外線又は蛍光を発する前記物質を紫外線励起して紫外線又は蛍光を発し、この紫外線又は蛍光により害虫を誘引して害虫を前記害虫捕獲装置、前記害虫捕獲シートの前記粘着シートで捕獲することを特徴とする前記害虫捕獲装置を用いた害虫捕獲方法。
【発明の詳細な説明】
【技術分野】
【０００１】
本発明は、蠅や蛾等の害虫捕獲装置、特に、紫外線ＬＥＤ等の光源を備えた害虫捕獲装置及びこの害虫捕獲装置を用いた害虫捕獲方法に関する。
【背景技術】
【０００２】
従来より、紫外線ランプ等の紫外線光を用いて蛾等の害虫を誘引し、蛾等の害虫を粘着材に粘着して捕獲する害虫捕獲器が知られている。
【０００３】
例えば、紫外線光を粘着材に照射し、粘着材が紫外線光を反射することによって粘着材面に害虫を誘引し、粘着材面で害虫を捕獲する害虫捕獲器が知られている（例えば、特許文献１参照）。
【０００４】
また、紫外線光を接着剤を表面に備えたシートに照射し、該シートが紫外線光を透過させることによってシート表面に害虫を誘引し、該シート表面で害虫を捕獲する害虫捕獲器が知られている（例えば、特許文献２参照）。
【０００５】
特許文献１の害虫捕獲器を図９に基づいて説明する。この害虫捕獲器は、ランプ担体３０に、紫外線ランプ３１と、紫外線ランプ３１を上方から覆うように反射板３２が取り付けられ、ランプ担体３０下方から、粘着材３３を片面に備えた粘着部材３４が吊り下げられている。紫外線ランプ３１を点灯すると、紫外線光が粘着材３３面に照射される。このとき、紫外線光は粘着材３３面で反射され、反射された紫外線光によって蠅や蛾等の害虫が誘引され、害虫は粘着材３３面に捕獲される。
【先行技術文献】
【特許文献】
【０００６】
【特許文献１】特開平５−１６８３８６号公報
【特許文献２】特開２００８−２９５３１２号公報
【発明の概要】
【発明が解決しようとする課題】
【０００７】
このように、紫外線光を粘着材面で反射する害虫捕獲器においては、紫外線ランプ３１からの紫外線光を粘着材３３面に照射するため、紫外線光を粘着材３３面全面に均等な強さで照射することが出来ず、粘着材３３面全面を害虫の捕獲に利用することができなかった。このことは、特許文献２に記載の紫外線光を透過させる害虫捕獲器においても同様のことがいえる。
【０００８】
本発明は、粘着層を備えた粘着シートの全面で蛾等の害虫を捕獲することができる紫外線ＬＥＤ等の光源を備えた害虫捕獲装置及び害虫捕獲装置を用いた害虫捕獲方法を提供することを目的とする。
【課題を解決するための手段】
【０００９】
本発明害虫捕獲装置は、紫外線励起によって紫外線又は蛍光を発する物質を内部に含んだ蛍光板と、蛍光板の一方の面上に配置され、基材の面に粘着層を設けて構成された粘着シートと、紫外線光源が設けられた連結部材を備え、蛍光板には粘着シートが取り付けられ、この蛍光板と粘着シートは連結部材の両側に各々結合され、この結合された連結部材、蛍光板の裏面同士を取り付けて構成さたことを特徴とする。
【００１０】
また、本発明の害虫捕獲装置は、紫外線励起によって紫外線又は蛍光を発する物質を内部に含んだ蛍光板と、蛍光板の一方の面に配置され、基材の面に粘着層を設けて構成された粘着シートと、紫外線光源が設けられた連結部材を備え、蛍光板には粘着シートが取り付けられ、この蛍光板と粘着シートを連結部材の両側に各々結合して構成されたことを特徴とする。
【００１１】
粘着シートは、磁石、又は接着剤、又は穴と突起、又はその他機械的係止手段等の取り付け手段により蛍光板に取り付けることができる。
【００１２】
粘着シートは帯状であって、蛍光板面上に繰り出し可能にロールホルダーにロール状に収納することができる。
【００１３】
粘着シートは蛍光板に対して、間隔を設けて配置することができる。
【００１４】
本発明の害虫捕獲装置を用いた害虫捕獲方法は、害虫捕獲装置の周囲に、紫外線励起によって紫外線又は蛍光を発する物質を内部に含んだ蛍光板と、基材の面に粘着層を設けて構成された粘着シートを備えた害虫捕獲シートを設置し、害虫捕獲装置の紫外線光源から紫外線を放射することにより害虫捕獲装置と害虫捕獲シートの蛍光板内部に含まれる紫外線励起によって紫外線又は蛍光を発する物質を紫外線励起して紫外線又は蛍光を発し、この紫外線又は蛍光により害虫を誘引して害虫を害虫捕獲装置、害虫捕獲シートの粘着シートで捕獲することを特徴とする。
【００１５】
害虫捕獲装置と害虫捕獲シートを交互に設置することができる。
【００１６】
また、本発明の害虫捕獲装置を用いた害虫捕獲方法は、紫外線光源の周囲に、害虫捕獲装置と、紫外線励起によって紫外線又は蛍光を発する物質を内部に含んだ蛍光板と、基材の面に粘着層を設けて構成された粘着シートを備えた害虫捕獲シートを設置し、紫外線光源及び害虫捕獲装置の紫外線光源から紫外線を放射することにより害虫捕獲装置と害虫捕獲シートの蛍光板内部に含まれる紫外線励起によって紫外線又は蛍光を発する物質を紫外線励起して紫外線又は蛍光を発し、この紫外線又は蛍光により害虫を誘引して害虫を害虫捕獲装置、害虫捕獲シートの粘着シートで捕獲することを特徴とする。
【発明の効果】
【００１７】
本発明は、害虫捕獲装置の紫外線光源から紫外線を放射すると、紫外線は正面に放射されるとともに、害虫捕獲装置の蛍光板内にも放射される。この紫外線により、害虫捕獲装置の蛍光板内部及び害虫捕獲シートの蛍光板内部に含んだ紫外線励起によって紫外線又は蛍光を発する物質が紫外線励起されて紫外線又は蛍光を発し、この紫外線又は蛍光は、外部に発せられる。外部に発せられた紫外線又は蛍光は、蛾等の害虫を誘引し、害虫を害虫捕獲装置、害虫捕獲シートの粘着シートで捕獲することができる。本発明は、害虫捕獲装置の蛍光板内部及び害虫捕獲シートの蛍光板内部全体に紫外線励起によって紫外線又は蛍光を発する物質を含ませることができるので、害虫捕獲装置、害虫捕獲シートの粘着シート全面で蛾等の害虫を効率よく捕獲することができる。
【図面の簡単な説明】
【００１８】
【図１】（ａ）は、本発明の害虫捕獲装置の第１の実施形態（両面タイプ）の正面図であり、（ｂ）は、本発明の害虫捕獲装置の両面タイプの第１の実施形態（両面タイプ）の右側面図であり、（ｃ）は、本発明の害虫捕獲装置の第１の実施形態の変形例（片面タイプ）の右側面図である。
【図２】本発明の害虫捕獲装置に用いられる粘着シートの実施形態を示す図であり、（ａ）は、粘着シートの実施形態の断面図であり、（ｂ）は、粘着層が、紫外線又は蛍光を透過させない粘着剤で形成されている場合の粘着シートの実施形態の正面図である。
【図３】（ａ）（ｂ）は、本発明の害虫捕獲装置に用いられる粘着シートを、蛍光板に取り付ける手段の第１の例の正面図である。
【図４】（ａ）（ｂ）は、本発明の害虫捕獲装置に用いられる粘着シートを蛍光板に取り付ける手段の第２の例の正面図である。
【図５】（ａ）（ｂ）（ｃ）は、本発明の害虫捕獲装置に用いられる粘着シートを蛍光板に取り付ける手段の第３の例の概略正面図である。
【図６】（ａ）は、本発明の第１の実施形態の害虫捕獲装置と共に使用される害虫捕獲シート（両面タイプ）の正面図であり、（ｂ）は、本発明の第１の実施形態の害虫捕獲装置と共に使用される害虫捕獲シート（両面タイプ）の右側面図であり、（ｃ）は、本発明の第１の実施形態の害虫捕獲装置と共に使用される害虫捕獲シートの変形例（片面タイプ）の右側面図である。
【図７】本発明の害虫捕獲装置を用いた害虫捕獲方法の第１の実施形態を示す説明図である。
【図８】本発明の害虫捕獲装置を用いた害虫捕獲方法の第２の実施形態を示す説明図である。
【図９】従来の従来の害虫捕獲器を示す構成図である。
【発明を実施するための形態】
【００１９】
本発明の紫外線ＬＥＤ等の光源を備えた害虫捕獲装置の第１の実施形態を、図１に基づいて説明する。なお、図面の説明においては、同一要素においては同一符号を付し、重複する説明は省略する。
【００２０】
図１（ａ）は、本発明の紫外線ＬＥＤ等の光源５を備えた害虫捕獲装置１の第１の実施形態（両面タイプ）の全体を示す正面図であり、図１（ｂ）は、本発明の紫外線ＬＥＤ等の光源５を両面に備えた害虫捕獲装置１の第１の実施形態（両面タイプ）の全体を示す右側面図であり、図１（ｃ）は、本発明の紫外線ＬＥＤ等の光源５を片面に備えた害虫捕獲装置１の第１の実施形態の変形例（片面タイプ）の全体を示す右側面図である。
【００２１】
本発明の第１の実施形態の害虫捕獲装置１は、図１（ａ）（ｂ）に示すように、紫外線励起によって紫外線又は蛍光を発する物質を内部に含んだ蛍光板２と、蛍光板２の一方の面上に配置された粘着シート３と、紫外線ＬＥＤ５が設けられた連結部材４を備えている。連結部材４に設けられている紫外線ＬＥＤ５は１個でも複数個でもよい。蛍光板２には粘着シート３が取り付けられていて、この２個の蛍光板２と粘着シート３は連結部材４の両側に各々結合されている。蛍光板２と粘着シート３は連結部材４の片側にのみ結合してもよい。そして、この結合された連結部材４、蛍光板２の裏面同士を取り付けて害虫捕獲装置１が構成されている。連結部材４は、紫外線を透過する部材で形成されている。
【００２２】
本発明の第１の実施形態の害虫捕獲装置１の変形例としては、図１（ｃ）に示すように、蛍光板２と粘着シート３が、紫外線ＬＥＤ５が設けられた連結部材４の両側に各々結合されて構成された、紫外線ＬＥＤ５を片面のみに有する片面タイプのものがある。蛍光板２と粘着シート３は連結部材４の片側にのみ結合してもよい。また、蛍光板２の両側に粘着シート３を設けてもよい。
【００２３】
蛍光板２は、紫外線励起によって紫外線又は蛍光を発する物質を含んでいるが、その物質としては、例えば、チオフェン誘導体（BBOT）、ベンゾ  ペリレン（Benzo  perylene）、ペリレン（Perylene）、エトキシ−ベンゾ  キサンテン（Ethoxy-benzo  xanthene）、フェニル  フルオランテン（Phenyl  fluoranthene）、テトラフェニル  ピレン（Tetraphenyl   pyrene）、テトラセン（Tetrasen）、フェニル  アントラセン（Phenyl  anthracene）、ジナフチル  アントラセン（Dinaphthyl  anthracene）、メチル  アントラセン（Methyl  anthracene）、アントラセン（Anthracene）、アクリジン（Acridine）などがある。
【００２４】
本発明の第１の実施形態の害虫捕獲装置１に用いられる粘着シート３の実施形態を図２に基づいて説明する。図２（ａ）は、粘着シート３の実施形態の断面図であり、図２（ｂ）は、粘着層７が、紫外線又は蛍光を透過させない粘着剤で形成されている場合の粘着シート３の実施形態の正面図である。
【００２５】
粘着シート３は、図２（ａ）に示すように、基材６の一方の面に、蛾等の害虫を捕獲する粘着層７を設けて構成されている。基材６は、紫外線又は蛍光を透過する部材、例えば透明な部材、網構造を有する部材等から構成されている。これにより、紫外線又は蛍光は粘着シート３を透過することができる。粘着層７が、紫外線又は蛍光を透過させない粘着剤で形成されている場合は、図２（ｂ）に示すように、例えば、粘着層７を格子状に形成する等して、粘着層７を粘着シート３の基材４の一面全面に設けない。粘着層７は、基材６の両面に設けてもよい。
【００２６】
粘着シート３の粘着層７の表面には、不使用時にごみ等が粘着シート３表面に付着しないようにするための剥離シートを備えてもよい。また、粘着シート３の四隅の一つには、粘着シート３を剥がしやすくするための粘着力が小さい又は粘着力を有しない剥離部を設けてもよい。
【００２７】
図１（ａ）（ｂ）に示した本発明の第１の実施形態の害虫捕獲装置１では、蛍光板２の面上に配置された粘着シート３は、複数枚の粘着シートを剥離可能に積層して形成されている。複数枚の各粘着シート３は、各々を必要に応じて接着剤で剥離可能に接着してもよい。この粘着シート３は１枚でもよい。また、粘着シート３は帯状のものでもよい。
【００２８】
本発明の第１の実施形態の害虫獲得装置１において、粘着シート３を蛍光板２に取り付ける手段を図３〜図５に基づいて説明する。
【００２９】
図３（ａ）（ｂ）は、粘着シート３を蛍光板２に取り付ける手段として、磁石３１を用いた例を示している。図３（ａ）に示す例では、磁石３１を粘着シート３の四隅に配置し、蛍光板２の面に強磁性体を設けるなどして、粘着シート３を蛍光板２に取り付けている。図３（ｂ）に示す例では、蛍光板２、２の間に紫外線ＬＥＤ等の光源２０を配置し、蛍光板２、２の面に強磁性体を設けるなどして、磁石３１を粘着シート３の四隅に配置し、粘着シート３を蛍光板２に取り付けている。
【００３０】
図４（ａ）（ｂ）は、粘着シート３を蛍光板２に取り付ける手段として、のり等の接着剤３２を用いた例を示している。図４（ａ）に示す例では、粘着シート３の上部のみにのり等の接着剤３２を塗布しており、図４（ｂ）に示す例では、粘着シート３の上部と下部にのり等の接着剤３２を塗布している。
【００３１】
図３（ａ）（ｂ）、図４（ａ）（ｂ）に示す例では、粘着シート３を蛍光板２に取り付ける手段として、磁石３１やのり等の接着剤３２を用いているが、粘着シート３に穴を設け、蛍光板２前面に突起を設け、該穴に該突起を嵌め込んで粘着シート３を蛍光板２に取り付けてもよい。また、粘着シート３を蛍光板２に取り付ける手段として、他の機械的係止手段を用いてもよい。
【００３２】
図５（ａ）（ｂ）（ｃ）には、粘着シート３を帯状とし、この帯状の粘着シート３を、蛍光板２の面上に繰り出し可能にロールホルダー３３、３５、３６にロール状に収納する例を示している。
【００３３】
図５（ａ）に示す例では、粘着シート３を巻き取るためのロールホルダー３３、３４を備えている。ロールホルダー３３、３４間には蛍光板２が配置されている。粘着シート３はロールホルダー３３にロール状に収納されており、使用時には粘着ロール３が蛍光板２の面上に繰り出され、粘着シート３の交換時は、交換部分の粘着シート３がロールホルダー３４に巻き取られ、一方のロールホルダー３３から新しい粘着シ−ト３が蛍光板２の面上に繰り出される。
【００３４】
図５（ｂ）に示す例では、粘着シート３を巻き取るためのロールホルダー３５を備えている。ロールホルダー３５の一方側には蛍光板２が配置されている。粘着シート３は、蛍光板２の周囲を一周してロールホルダー３５に巻き取られている。ロールホルダー３５を回転することにより、蛍光板２の前面に新しい粘着シート３が繰り出され、交換部分の粘着シート３はロールホルダー３５に巻き取られる。
【００３５】
図５（ｃ）に示す例では、粘着シート３をロール状に収納するためのロールホルダー３６を設けている。ロールホルダー３６の一方側には蛍光板２が配置されている。粘着シート３はロールホルダー３６にロール状に収納されており、使用時には粘着シート３が蛍光板２の前面に繰り出され、粘着シート３の交換時は、交換部分の粘着シート３がカットされ、一方のロールホルダー３６から新しい粘着シ−ト３が蛍光板２の前面に繰り出される。粘着シート３の使用時、粘着シート３のカットされた端部は、蛍光板２に図３に示すような手段で固定されることが好ましい。
【００３６】
このように構成された害虫捕獲装置１は、連結部材４に設けられた紫外線ＬＥＤ５から紫外線（例えば３６０ｎｍ〜４００ｎｍの波長を備えた紫外線）を放射すると、紫外線は正面に放射されるとともに、連結部材４を介して蛍光板２内にも放射される。蛍光板２内に放射された紫外線は、蛍光板２内に含まれている紫外線励起によって紫外線又は蛍光を発する物質を紫外線励起し、該物質は紫外線又は蛍光を発する。このように発せられた紫外線又は蛍光は、粘着シート３を透過して外部に放射され、蛾等の害虫を誘引して害虫を粘着シート３に捕獲する。このとき、蛍光板２全体に、紫外線励起によって紫外線又は蛍光を発する物質が含まれているので、粘着シート３全面で害虫を効率よく捕獲することができる。
【００３７】
粘着シート３を蛍光板２に取り付ける場合、粘着シ−ト３と蛍光板２との間に隙間を設けてもよい。隙間を設けた場合、粘着シ−ト３の両面に粘着層を備えていると、粘着シート３両面で害虫を効率よく捕獲することができる。
【００３８】
本発明の第１の実施形態の害虫捕獲装置１又は紫外線ＬＥＤ等の光源とともに用いられる害虫捕獲シート１０を図６に基づき説明する。図６（ａ）は、害虫捕獲シート１０（両面タイプ）の正面図であり、図６（ｂ）は、害虫捕獲シート１０（両面タイプ）の右側面図であり、図６（ｃ）は、害虫捕獲シート１０の変形例（片面タイプ）の右側面図である。
【００３９】
本発明の第１の実施形態の害虫捕獲装置１又は紫外線ＬＥＤ等の光源とともに用いられる害虫捕獲シート１０は、図６（ａ）（ｂ）に示すように、紫外線励起によって紫外線又は蛍光を発する物質を内部に含んだ蛍光板１２と、蛍光板１２の一方の面に配置された粘着シート１３と、連結部材１４を備えている。蛍光板１２には粘着シート１３が取り付けられていて、この蛍光板１２と粘着シート１３は連結部材１４の両側に各々結合されている。そして、連結部材１４、蛍光板１２の裏面同士を取り付けて害虫捕獲シート１０が構成される。連結部材１４は、紫外線を透過する部材で形成されている。
【００４０】
本発明の第１の実施形態の害虫捕獲装置１又は紫外線ＬＥＤ等の光源とともに用いられる害虫捕獲シート１０の変形例としては、図６（ｃ）に示すように、蛍光板１２と粘着シート１３を連結部材１４の両側に各々結合して構成された片面タイプのものがある。
【００４１】
図６（ａ）（ｂ）（ｃ）で示した本発明の第１の実施形態の害虫捕獲装置１又は紫外線ＬＥＤ等の光源とともに用いられる害虫捕獲シート１０は、連結部材１４を備えているが、連結部材１４はなくてもよい。
【００４２】
蛍光板１２は、内部に紫外線励起によって紫外線又は蛍光を発する物質を含んでいるが、その物質は、本発明の第１の実施形態の害虫捕獲装置１に用いられている物質と同じものである。
【００４３】
粘着シート１３は、図２に示す本発明の第１の実施形態の害虫捕獲装置１の粘着シート３と同じ構造のものである。
【００４４】
本発明の害虫捕獲シート１０において、粘着シート１３を蛍光板１２に取り付ける手段は図３〜図５に示す例と同じものである。
【００４５】
本発明の害虫捕獲装置を用いた害虫捕獲方法の第１、第２の実施形態を図７、図８に基づいて説明する。
【００４６】
図７に示す例では、害虫捕獲装置１と害虫捕獲シート１０を（ａ）〜（ｅ）に示すように交互に設置している。害虫捕獲装置１と害虫捕獲シート１０の配置は、図７に示す配置関係に限定されるものではなく、害虫捕獲装置１の周囲に害虫捕獲シート１０を配置するなど適宜なされるものである。
【００４７】
害虫捕獲装置１の紫外線ＬＥＤ５から紫外線（例えば３６０ｎｍ〜４００ｎｍの波長を備えた紫外線）が放射されると、紫外線は正面に放射されるとともに、連結部材４を介して害虫捕獲装置１の蛍光板２内にも放射される。害虫捕獲装置１の蛍光板２内に放射された紫外線は、蛍光板２内に含まれている紫外線励起によって紫外線又は蛍光を発する物質を紫外線励起し、該物質は紫外線又は蛍光を発する。このようにして発せられた紫外線又は蛍光は、害虫捕獲装置１の粘着シート３を透過して外部に放射され、蛾等の害虫を誘引して害虫を害虫捕獲装置１の粘着シート３で捕獲する。正面に放射された紫外線は、害虫捕獲シート１０の蛍光板１２内に放射される。蛍光板１２内に放射された紫外線は、蛍光板１２内に含まれている物質を紫外線励起し、該物質は紫外線又は蛍光を発する。このようにして発せられた紫外線又は蛍光は、粘着シート１３を透過して外部に放射され、蛾等の害虫を誘引して害虫を害虫捕獲シート１０の粘着シート１３で捕獲する。このとき、害虫捕獲装置１の蛍光板２、害虫捕獲シート１０の蛍光板１２全体に、紫外線励起によって紫外線又は蛍光を発する物質が含まれているので、粘着シート３、１３全面で害虫を効率よく捕獲することができる。
【００４８】
図７に示す例において、害虫捕獲装置１を紫外線ＬＥＤ等の光源としてもよい。
【００４９】
図８に示す例では、害虫捕獲装置１は、光源２０の四方に連続して配置している。図８に示す例の場合、光源２０の間に配置される害虫捕獲装置１は、前後の光源２０から紫外線が放射されることになる。光源２０から放射された紫外線、害虫捕獲装置１の紫外線ＬＥＤから放射された紫外線は、害虫捕獲装置１の蛍光板１２内に放射され、蛍光板２内に含まれている物質を紫外線励起し、該物質は紫外線又は蛍光を発する。このようにして発せられた紫外線又は蛍光は、粘着シート３を透過して外部に放射され、蛾等の害虫を誘引して害虫を害虫捕獲装置１の粘着シート３で捕獲する。
【００５０】
図８に示す例において、光源２０として害虫捕獲装置１を用いてもよいし、害虫捕獲装置１の代わりに害虫捕獲シート１０を用いてもよい。また、光源２０、害虫捕獲シート１０、害虫捕獲装置１を共に用いてもよい。害虫捕獲装置１、害虫捕獲シート１０は、屋内、屋外のあらゆるところに設置することができ、また、光源２０、害虫捕獲装置１からの紫外線を害虫捕獲装置１、害虫捕獲シート１０に対して上下左右あらゆる方向から放射することができるので、蛾等の害虫をあらゆる場所で効率よく捕獲することができる。
【符号の説明】
【００５１】
１…害虫捕獲装置、２…蛍光板、３…粘着シート、４…連結部材、５…紫外線ＬＥＤ、６…基材、７…粘着層、１０…害虫捕獲シート、１２…蛍光板、１３…粘着シート、１４…連結部材、２０…光源、３１…磁石、３２…接着剤、３３、３４、３５、３６…ロールホルダー。
【図１】
2012019759.tif 000003
【図２】
2012019759.tif 000004
【図３】
2012019759.tif 000005
【図４】
2012019759.tif 000006
【図５】
2012019759.tif 000007
【図６】
2012019759.tif 000008
【図７】
2012019759.tif 000009
【図８】
2012019759.tif 000010
【図９】
2012019759.tif 000011